(57)【特許請求の範囲】
【請求項１】
発泡合成樹脂により成形された容器本体と、果実を包装して前記容器本体に収容される果実包装容器とを備える果実輸送箱であって、
前記容器本体は一面に開口面を有する箱状体であり、その内部空間には、蓄冷剤を収容するための第一区画、及び前記果実包装容器を収容するための複数の第二区画が形成されており、
２つの同じ形状の前記容器本体が、その開口面が対向する方向で嵌合されることで前記果実輸送箱を構成する、ことを特徴とする果実輸送箱。
【請求項２】
前記容器本体の短側面を下側にした状態において、前記開口面から出し入れされる前記蓄冷剤及び前記果実包装容器を収容するために、前記容器本体の内面から水平方向に立設された複数の隔壁部が、上下方向に所定間隔で形成され、
前記隔壁部で仕切られた最も上側の区画が前記第一区画、その他の区画が前記第二区画となる、ことを特徴とする請求項１記載の果実輸送箱。
【請求項３】
前記隔壁部は、その水平断面がコの字形状を成し、その下面には、前記隔壁部に載置される前記果実包装容器の上面を押圧固定するために下方に延びる押圧部が形成される、ことを特徴とする請求項２記載の果実輸送箱。
【請求項４】
前記第一区画と前記第二区画との間には、さらに、前記蓄冷剤を載置するために水平方向に立設された仕切壁が形成される、ことを特徴とする請求項２又は３に記載の果実輸送箱。
【請求項５】
前記容器本体の開口面側の縁部には、他の容器本体と嵌合させるための凹部たるガイド溝及び凸部たるガイド突起が交互に、周方向に沿って環状に、２周で形成され、異なる周毎に当該ガイド溝及び当該ガイド突起の形成パターンは逆となる、ことを特徴とする請求項１乃至４のいずれか一項に記載の果実輸送箱。
【請求項６】
前記容器本体の開口面の反対面の短側辺には、前記果実輸送箱の外側から掛けられるバンドを係止するための複数の凹溝が形成される、ことを特徴とする請求項１乃至５のいずれか一項に記載の果実輸送箱。
【請求項７】
前記容器本体の外側面には、上下方向を明示するための矢印が形成される、ことを特徴とする請求項１乃至６のいずれか一項に記載の果実輸送箱。
【請求項８】
発泡合成樹脂により成形された容器本体と、果実を包装して前記容器本体に収容される果実包装容器とを備える果実輸送箱であって、
前記容器本体は、一面に開口面を有する箱状体であり、１つの前記果実包装容器を収容するための内部空間が形成されており、
２つの同じ形状の前記容器本体が、その開口面が対向する方向で嵌合されることで前記果実輸送箱を構成する、ことを特徴とする果実輸送箱。
【請求項９】
前記果実包装容器は、上下に分かれる直方体形状の容器であり、側面には外方に張り出した張出部が形成され、
前記容器本体は、前記果実包装容器を側方から収容するため、一の長側面が前記開口面となる箱形状を有し、当該容器本体の内側面には、前記果実包装容器の張出部を、上下方向から挟持するための対となる凸部が形成される、ことを特徴とする請求項８記載の果実輸送箱。
【請求項１０】
前記対となる凸部は、前記開口面と対向する長側面の内面に形成され、
前記容器本体の上面の内面及び下面の内面には、収容される前記果実包装容器を上下方向から押圧固定するために一方向に延びた凸条が形成されている、ことを特徴とする請求項９記載の果実輸送箱。
【請求項１１】
前記果実包装容器は、上下に分かれる直方体形状の容器であり、側面には外方に張り出した張出部が形成され、
前記容器本体は、前記果実包装容器を上方から平置きするため、上面が前記開口面となる箱形状を有し、前記容器本体の内側面には、前記果実包装容器及び前記張出部を載置し、また２つの前記容器本体を嵌合した状態で前記張出部を上下方向から挟持するための載置台が形成される、ことを特徴とする請求項８記載の果実輸送箱。
【請求項１２】
前記載置台は、前記容器本体の内側の四隅、及びその間に配置されている、ことを特徴とする請求項１１記載の果実輸送箱。
【発明の詳細な説明】
【技術分野】
【０００１】
本発明は、発泡スチロールで形成された容器本体とイチゴなどの果実を包装した果実包装容器とを備えた果実輸送箱に関する。
【背景技術】
【０００２】
従来から、イチゴなどの傷みやすい果実を収容して輸送するために、プラスチック製トレーや発泡ウレタントレーを用いた容器が広く一般的に用いられている。これらプラスチック製トレーや発泡ウレタントレーを用いた容器は、搬送時における振動や衝撃が直接イチゴなどの果物に伝わり易く、果物同士の接触や容器同士の接触により果物に傷がつきやすい。また、果物を保冷輸送する場合には保冷車などを用いる必要がある。そこで、傷みやすい果実の輸送容器の構造に関しては様々のものが考案されている。
【０００３】
例えば、イチゴのような果実を減量させることなくまた収穫直後の自然な外観を保ったままで、輸送し、また長日数保管することを可能とする果実輸送保管用容器が開示されている（例えば、特許文献１参照）。また、組み立ての必要がなく軽量であると共に、収納したイチゴ等のパック詰めトレーに対し、搬送時における振動や衝撃が直接伝わり難く、冷却時における冷却効率の良い集合包装容器も開示されている（例えば、特許文献２参照）。
【先行技術文献】
【特許文献】
【０００４】
【特許文献１】特開２００７−５５６４４号公報
【特許文献２】特開２０１５−４００５０号公報
【発明の概要】
【発明が解決しようとする課題】
【０００５】
しかしながら、傷みやすいイチゴなどの高級な果実の輸送容器に関して、作業性が良く、トラックなどでの輸送中に果実をできるだけ傷まないようにし、且つ保冷車を用いることなく保冷機能を長期間に維持できる輸送容器の構造に関しては未だ改善の余地がある。
【０００６】
本発明は、上記課題に鑑みてなされたものであり、作業性が良く、輸送中の振動・衝撃などによってイチゴなどの果実が傷んでしまうことを防止し、且つ長期間に亘って保冷機能を維持できる新しいタイプの果実輸送箱を提供することを目的とする。
【課題を解決するための手段】
【０００７】
上記課題を解決するため、本発明は、発泡合成樹脂により成形された容器本体と、果実を包装して前記容器本体に収容される果実包装容器とを備える果実輸送箱であって、前記容器本体は一面に開口面を有する箱状体であり、その内部空間には、蓄冷剤を収容するための第一区画、及び前記果実包装容器を収容するための複数の第二区画が形成されており、２つの同じ形状の前記容器本体が、その開口面が対向する方向で嵌合されることで前記果実輸送箱を構成する、ことを特徴とするものである。
【０００８】
この果実輸送箱において、前記容器本体の短側面を下側にした状態において、前記開口面から出し入れされる前記蓄冷剤及び前記果実包装容器を収容するために、前記容器本体の内面から水平方向に立設された複数の隔壁部が、上下方向に所定間隔で形成され、前記隔壁部で仕切られた最も上側の区画が前記第一区画、その他の区画が前記第二区画となることが好ましい。
【０００９】
この果実輸送箱において、前記隔壁部は、その水平断面がコの字形状を成し、その下面には、前記隔壁部に載置される前記果実包装容器の上面を押圧固定するために下方に延びる押圧部が形成されることが好ましい。
【００１０】
この果実輸送箱において、前記第一区画と前記第二区画との間には、さらに、前記蓄冷剤を載置するために水平方向に立設された仕切壁が形成されることが好ましい。
【００１１】
この果実輸送箱において、前記容器本体の開口面側の縁部には、他の容器本体と嵌合させるための凹部たるガイド溝及び凸部たるガイド突起が交互に、周方向に沿って環状に、２周で形成され、異なる周毎に当該ガイド溝及び当該ガイド突起の形成パターンは逆となることが好ましい。
【００１２】
この果実輸送箱において、前記容器本体の開口面の反対面の短側辺には、前記果実輸送箱の外側から掛けられるバンドを係止するための複数の凹溝が形成されることが好ましい。
【００１３】
この果実輸送箱において、前記容器本体の外側面には、上下方向を明示するための矢印が形成されることが好ましい。
【００１４】
また、上記課題を解決するため、本発明は、発泡合成樹脂により成形された容器本体と、果実を包装して前記容器本体に収容される果実包装容器とを備える果実輸送箱であって、前記容器本体は、一面に開口面を有する箱状体であり、１つの前記果実包装容器を収容するための内部空間が形成されており、２つの同じ形状の前記容器本体が、その開口面が対向する方向で嵌合されることで前記果実輸送箱を構成する、ことを特徴とするものである。
【００１５】
この果実輸送箱において、前記果実包装容器は、上下に分かれる直方体形状の容器であり、側面には外方に張り出した張出部が形成され、前記容器本体は、前記果実包装容器を側方から収容するため、一の長側面が前記開口面となる箱形状を有し、当該容器本体の内側面には、前記果実包装容器の張出部を、上下方向から挟持するための対となる凸部が形成されることが好ましい。
【００１６】
この果実輸送箱において、前記対となる凸部は、前記開口面と対向する長側面の内面に形成され、前記容器本体の上面の内面及び下面の内面には、収容される前記果実包装容器を上下方向から押圧固定するために一方向に延びた凸条が形成されていることが好ましい。
【００１７】
この果実輸送箱において、前記果実包装容器は、上下に分かれる直方体形状の容器であり、側面には外方に張り出した張出部が形成され、前記容器本体は、前記果実包装容器を上方から平置きするため、上面が前記開口面となる箱形状を有し、前記容器本体の内側面には、前記果実包装容器及び前記張出部を載置し、また２つの前記容器本体を嵌合した状態で前記張出部を上下方向から挟持するための載置台が形成されることが好ましい。
【００１８】
この果実輸送箱において、前記載置台は、前記容器本体の内側の四隅、及びその間に配置されていることが好ましい。
【発明の効果】
【００１９】
本発明に係る果実輸送箱は、発泡合成樹脂により成形された容器本体と、果実を包装して容器本体に収容される果実包装容器とを備え、容器本体は一面に開口面を有する箱状体であり、その内部空間には、蓄冷剤を収容するための第一区画、及び前記果実包装容器を収容するための複数の第二区画が形成されている。また、果実輸送箱は、２つの容器本体が、その開口面が対向する方向で嵌合されるものである。この構成により、本発明では、搬送容易など作業性が良く、輸送中の振動・衝撃などによってイチゴなどの果実が傷むことを防止し、且つ長期間に亘って保冷機能を維持できる。
【図面の簡単な説明】
【００２０】
【図１】本発明の実施の形態１に係る果実輸送箱の斜視図である。
【図２】（ａ）同上果実輸送箱を成す容器本体の斜視図、（ｂ）同上容器本体の別の角度からの斜視図である。
【図３】（ａ）同上容器本体の正面図、（ｂ）同上容器本体の上面図、（ｃ）同上容器本体の左側面図、（ｄ）同上容器本体の底面図、（ｅ）同上容器本体のＡ−Ａ線断面図、（ｆ）同上容器本体のＢ−Ｂ線断面図、（ｇ）同上容器本体のＣ−Ｃ線断面図、（ｈ）同上容器本体のＤ−Ｄ線断面図である。
【図４】（ａ）同上果実輸送箱を成す果実包装容器の斜視図、（ｂ）同上果実包装容器の上面図、（ｃ）同上果実包装容器の正面図である。
【図５】（ａ）〜（ｃ）同上果実輸送箱における果実包装容器及び蓄冷剤の収容方法の説明図である。
【図６】（ａ）同上果実輸送箱の正面図、（ｂ）同上果実輸送箱の上面図、（ｃ）同上果実輸送箱の側面図、（ｄ）同上果実輸送箱のＥ−Ｅ線断面図である。
【図７】（ａ）本発明の実施の形態２に係る果実輸送箱を成す容器本体の斜視図、（ｂ）同上果実輸送箱の組み立て前の斜視図、（ｃ）同上果実輸送箱の組立後の斜視図である。
【図８】（ａ）同上容器本体の正面図、（ｂ）同上容器本体の上面図、（ｃ）同上容器本体の底面図、（ｄ）同上容器本体の背面図、（ｅ）同上容器本体のＦ−Ｆ線断面図、（ｆ）同上容器本体のＧ−Ｇ線断面図、（ｇ）同上容器本体のＨ−Ｈ線断面図、（ｈ）同上容器本体のＩ−Ｉ線断面図である。
【図９】（ａ）同上果実輸送箱の上面図、（ｂ）同上果実輸送箱のＪ−Ｊ線断面図、（ｃ）同上果実輸送箱のＫ−Ｋ線断面図である。
【図１０】（ａ）本発明の実施の形態３に係る果実輸送箱を成す容器本体の斜視図、（ｂ）同上果実輸送箱の組み立て前の斜視図、（ｃ）同上果実輸送箱の組立後の斜視図である。
【図１１】（ａ）同上容器本体の正面図、（ｂ）同上容器本体の上面図、（ｃ）同上容器本体の左側面図、（ｄ）同上容器本体の底面図、（ｅ）同上容器本体の右側面図、（ｆ）同上容器本体の背面図、（ｇ）同上容器本体のＬ−Ｌ線断面図、（ｈ）同上容器本体のＭ−Ｍ線断面図、（ｉ）同上容器本体のＮ−Ｎ線断面図である。
【図１２】（ａ）同上果実輸送箱の上面図、（ｂ）同上果実輸送箱の底面図、（ｃ）同上果実輸送箱のＯ−Ｏ線断面図、（ｄ）同上果実輸送箱のＰ−Ｐ線断面図、（ｅ）同上果実輸送箱のＱ−Ｑ線断面図、（ｆ）同上果実輸送箱のＲ−Ｒ線断面図である。
【発明を実施するための形態】
【００２１】
（実施の形態１）
本発明の実施の形態１に係る果実輸送箱について図１乃至図６を参照して説明する。図１は、イチゴなどの果実を詰めた果実包装容器を収容して保冷・輸送するための果実輸送箱１を示す。この果実輸送箱１は、発泡合成樹脂により成形されて一面に開口面を有する箱形状の容器本体２と、内部に収容される果実包装容器と、蓄冷剤とを備えている。なお、発泡合成樹脂とは、例えばポリスチレン、ポリエチレン、ポリプロピレンなどのポリオレフィン系樹脂であり、本実施の形態１において果実輸送箱１を成す容器本体２はＥＰＳ(expanded polystyrene)パネルで成型されている。
【００２２】
最初に、果実輸送箱１を構成する容器本体２の形状に関して図２及び図３を参照して説明する。果実輸送箱１は、２つの容器本体２が、その開口面２ａが対向する方向で嵌合されることで構成される。容器本体２は、図２（ａ）に示すように、一面（本実施の形態１の説明においては正面とする）に開口面２ａを有する箱状体であり、その内部空間には、蓄冷剤を収容するための第一区画２ｂ、及び複数の果実包装容器３を収容するための複数の第二区画２ｃ（本実施の形態１においては５つ）が形成されている。なお、容器本体２は、図２（ａ）の状態において、例えば、長側面寸法２９９（ｍｍ）×短側面寸法２２５（ｍｍ）×高さ寸法４５８（ｍｍ）となる。
【００２３】
容器本体２は、図２（ａ）に示すように、その短側面２ｄを下側にした状態において、開口面２ａから出し入れされる果実包装容器３及び蓄冷剤４を収容するために、容器本体２の内面から水平方向に立設された複数の隔壁部２ｅが、上下方向に所定間隔で、一体形成されている。この構成により、容器本体２の内部に果実包装容器３を積層したような状態で収容できる。また、図２（ａ）に示すように、隔壁部２ｅで仕切られた最も上側の区画が第一区画２ｂ、その他の区画が第二区画２ｃとなり、この構成により、果実輸送箱１の内部空間を効率的に保冷している。
【００２４】
容器本体２の隔壁部２ｅは、図３に示すように、その水平断面がコの字形状を成しており、その下面には、隔壁部２ｅに載置される果実包装容器３の上面を押圧固定するために下方に延びた押圧部２ｆが形成される。また、第一区画２ｂと第二区画２ｃとの間には、さらに、蓄冷剤４を載置するために水平方向に立設された仕切壁２ｇが形成されている。
【００２５】
なお、蓄冷剤（保冷剤とも呼ぶ）４は、一般に使用前に冷凍することにより、繰り返し使用可能な冷却手段である。この蓄冷剤４の例としては、水とポリアクリル酸ナトリウムなどの高吸水性樹脂（ゲル化剤）またはガム類などの増粘剤と無機塩類とを含有する袋詰め、及びポリエチレン製容器封入品、並びにそれらの組合せなどが挙げられる。蓄冷剤４の融点は、例えば−１５℃〜−１℃である。
【００２６】
容器本体２の開口面２ａ側の縁部には、図２及び図３に示すように、他の容器本体２と嵌合させるための凹部たるガイド溝２ｈ及び凸部たるガイド突起２ｉが交互に、周方向に沿って環状に、２周で形成されている。また、異なる周毎にガイド溝２ｈ及びガイド突起２ｉの形成パターンは逆となる。ガイド溝２ｈは他の容器本体２との嵌合時において他の容器本体２のガイド突起２ｉと嵌合し、ガイド突起２ｉは他の容器本体２のガイド溝２ｈと嵌合する。このことで、２つの容器本体２が嵌合される果実輸送箱１の気密性を良好に保つことができる。
【００２７】
なお、図１などに示すように、容器本体２の開口面２ａの反対面の短側辺には、外側から掛けられるバンド（例えばＰＰ（polypropylene）バンド）５を係止するための複数の凹溝２ｊが形成されている。また、容器本体２（果実輸送箱１）の外側面には、上下方向を明示するための矢印２ｋ、及び凹形状の取っ手部２ｌが設けられている。これらの構成により、果実輸送箱１の作業性・気密性を向上させることができる。
【００２８】
次に、果実輸送箱１の内部に収容される果実包装容器３の形状に関して図４を参照して説明する。果実包装容器３は、図４（ａ）に示すように、例えば上下に分かれる直方体形状の容器である。この果実包装容器３の外装はＰＥＴを素材として、例えば、内側にはイチゴの果実型に成型されたポリエチレン（ＰＥ）フィルムを張って、イチゴを略宙吊り状態にしている。また、果実包装容器３は、例えば、長側面寸法２５０（ｍｍ）×短側面寸法１９０（ｍｍ）×高さ寸法５１（ｍｍ）である。なお、果実包装容器３の形状は容器本体２の第二区画２ｃに収容される形状であれば良く、図４に示す形状に限定されるものではない。
【００２９】
次に、果実輸送箱１を用いた果実包装容器３及び蓄冷剤４の収容方法に関して図５及び図６を用いて説明する。最初に、図５（ａ）に示すように、２つの容器本体２を用意し、蓄冷剤４を容器本体２の第一区画２ｂ、イチゴを包装した果実包装容器３を第二区画２ｃに収容する。次に、図５（ｂ）に示すように、２つの容器本体２をその開口面２ａが対向する方向で嵌合させて果実輸送箱１を組み立てる。そして、最後に、図５（ｃ）に示すように、果実輸送箱１に設けられた凹溝２ｊにＰＰバンド５を外側から掛ける。なお、果実輸送箱１は、例えば、長側面寸法４４０（ｍｍ）×短側面寸法２９９（ｍｍ）×高さ寸法４５８（ｍｍ）の大きさとなる。
【００３０】
以上の説明のように、本実施の形態１に係る果実輸送箱１は、発泡合成樹脂により成形された容器本体２と、果実を包装して容器本体２に収容される果実包装容器３とを備える。容器本体２は一面に開口面２ａを有する箱状体であり、その内部空間には、蓄冷剤４を収容するための第一区画２ｂ、及び果実包装容器３を収容するための複数の第二区画２ｃが形成されている。また、２つの容器本体２が、その開口面２ａが対向する方向で嵌合される。さらに、容器本体２には、その内面から水平方向に立設された複数の隔壁部２ｅが、上下方向に所定間隔で形成されている。この構造により、果実輸送箱１は、搬送容易などの作業性が良く、輸送中の振動・衝撃などによってイチゴなどの果実が傷んでしまうことを適切に防止し、且つ長期間に亘って保冷機能を維持できる新しいタイプの果実輸送箱１となる。
【００３１】
より具体的には、果実輸送箱１において、２つの容器本体２がガイド溝２ｈ及びガイド突起２ｉを介して嵌合されるため高い気密性（断熱効果）を有し、保冷状態を長期に亘って保つことができる。また、果実包装容器３が容器本体２の隔壁部２ｅの下面に形成された押圧部２ｆにより押圧固定されるため輸送時に位置ずれすることがなくなる。さらに、各果実包装容器３は隔壁部２ｅで区画された第二区画２ｃに収容されるため果実包装容器３同士の接触がなく、イチゴを半ば宙に浮かせたような状態で輸送することができる。これらの結果、果実輸送箱１は、イチゴが輸送中の振動や接触によって痛むことを適切に防止でき、軽量で作業性・緩衝性・保冷性に優れたイチゴの輸送容器となる。
【００３２】
（実施の形態２）
本発明の実施の形態２に係る果実輸送箱に関して図７〜図９を参照して説明する。図７に示すように、果実輸送箱１０は、発泡合成樹脂により成形された容器本体１１と、果実を包装して容器本体１１に収容される果実包装容器３とを備える。
【００３３】
容器本体１１は、図７（ａ）に示すように、一面に開口面１１ａを有する箱状体であり、１つの果実包装容器３を収容するための内部空間が形成されている。また、図７（ｂ），（ｃ）に示すように、２つの容器本体１１が、その開口面１１ａが対向する方向で嵌合されることで果実輸送箱１０を構成する。なお、容器本体１１は、例えば、長側面寸法２８６（ｍｍ）×短側面寸法２２６（ｍｍ）×高さ寸法８８（ｍｍ）の大きさとなる。
【００３４】
果実包装容器３は、図４及び図７（ｂ）に示すように、例えば上下に分かれる直方体形状の容器であり、側面には外方に張り出した張出部３ａが形成される。この果実包装容器３の外装はＰＥＴを素材として、例えば、内側にはイチゴの果実型に成型されたポリエチレン（ＰＥ）フィルムを張って、イチゴを略宙吊り状態にしている。果実包装容器３の形状は容器本体１１の内部空間に収容される形状を有する。
【００３５】
本実施の形態２において、容器本体１１は、果実包装容器３を側方から収容（横入れ）するため、図７及び図８に示すように、一の長側面が開口面１１ａとなる箱形状を有している。また、容器本体１１の内側面には、果実包装容器３の張出部３ａを、上下方向から挟持するための対となる凸部１１ｂが、開口面１１ａと対向する長側面１１ｃの内面に形成される。具体的には、図８に示すように、対となる凸部１１ｂが長側面１１ｃの内面の正面視で左右両端側に形成されている。また、容器本体１１の上面１１ｄの内面及び下面１１ｅの内面には、収容される果実包装容器３を上下方向から押圧固定するために一方向に延びた凸条１１ｆが形成されている。
【００３６】
容器本体１１の開口面１１ａ側の縁部には、図７及び図８に示すように、他の容器本体１１と嵌合させるための凹部たるガイド溝１１ｈ及び凸部たるガイド突起１１ｉが交互に、周方向に沿って環状に、２周で形成されている。また、異なる周毎にガイド溝１１ｈ及びガイド突起１１ｉの形成パターンは逆となる。ガイド溝１１ｈは他の容器本体１１との嵌合時において他の容器本体１１のガイド突起１１ｉと嵌合し、ガイド突起１１ｉは他の容器本体１１のガイド溝１１ｈと嵌合する。このことで、２つの容器本体１１が嵌合される果実輸送箱１０の気密性を良好に保つことができる。
【００３７】
以上のように、この構造により、果実輸送箱１０は、搬送容易などの作業性が良く、輸送中の振動・衝撃などによってイチゴなどの果実が傷んでしまうことを適切に防止した新しいタイプの果実輸送箱１０となる。
【００３８】
より具体的には、果実輸送箱１０においては、２つの容器本体１１がガイド溝１１ｈ及びガイド突起１１ｉを介して嵌合されるため高い気密性（断熱効果）を有し、保冷状態を長期に亘って保つことができる。また、容器本体１１の内面に形成された凸部１１ｂが、収容される果実包装容器３の張出部３ａを上下方向から押圧固定するため輸送時に位置ずれすることがなくなる。さらに、１つの果実包装容器３が容器本体１１内に収容されるため果実包装容器３同士の接触がなく、イチゴを半ば宙に浮かせたような状態で輸送することができる。これらの結果、果実輸送箱１０は、イチゴが輸送中の振動や接触によって痛むことを適切に防止でき、軽量で作業性・緩衝性・保冷性に優れたイチゴの輸送容器となる。
【００３９】
（実施の形態３）
本発明の実施の形態３に係る果実輸送箱に関して図１０〜図１２を参照して説明する。図１０に示すように、果実輸送箱１２は、発泡合成樹脂により成形された容器本体１３と、果実を包装して容器本体１３に収容される果実包装容器３とを備える。
【００４０】
容器本体１３は、図１０（ａ）に示すように、一面に開口面１３ａを有する箱状体であり、１つの果実包装容器３を収容するための内部空間が形成されている。また、図１０（ｂ），（ｃ）に示すように、２つの容器本体１３が、その開口面１３ａが対向する方向で嵌合されることで果実輸送箱１２を構成する。なお、容器本体１３は、例えば、長側面寸法２８６（ｍｍ）×短側面寸法２２６（ｍｍ）×高さ寸法８８（ｍｍ）の大きさとなる。果実包装容器３は、上述のものと同じであり、図４及び図１０（ａ）に示すように、例えば上下に分かれる直方体形状の容器であり、側面には外方に張り出した張出部３ａが形成される。
【００４１】
本実施の形態３において、容器本体１３は、果実包装容器３を上方から収容（平置き）するため、図１０及び図１１に示すように、上面が開口面１３ａとなる箱形状を有している。また、容器本体１３の内側面には、果実包装容器３及びその張出部３ａを載置及び２つの容器本体１３を嵌合した状態で果実包装容器３の張出部３ａを上下方向から挟持するための載置台１３ｂが形成される。具体的には、図１１に示すように、載置台１３ｂは、容器本体１３の内側の四隅、及びその間に配置されている。
【００４２】
容器本体１３の開口面１３ａ側の縁部には、図１０及び図１１に示すように、他の容器本体１３と嵌合させるための凹部たるガイド溝１３ｈ及び凸部たるガイド突起１３ｉが交互に、周方向に沿って環状に、２周で形成されている。また、異なる周毎にガイド溝１３ｈ及びガイド突起１３ｉの形成パターンは逆となる。ガイド溝１３ｈは他の容器本体１３との嵌合時において他の容器本体１３のガイド突起１３ｉと嵌合し、ガイド突起１３ｉは他の容器本体１３のガイド溝１３ｈと嵌合する。このことで、２つの容器本体１３が嵌合される果実輸送箱１２の気密性を良好に保つことができる。
【００４３】
以上のように、この構造により、果実輸送箱１２は、搬送容易などの作業性が良く、輸送中の振動・衝撃などによってイチゴなどの果実が傷んでしまうことを適切に防止した新しいタイプの果実輸送箱１２となる。
【００４４】
より具体的には、果実輸送箱１２においては、２つの容器本体１３がガイド溝１３ｈ及びガイド突起１３ｉを介して嵌合されるため高い気密性（断熱効果）を有し、保冷状態を長期に亘って保つことができる。また、容器本体１３の内側面に形成された載置台１３ｂが、収容される果実包装容器３の張出部３ａを上下方向から押圧固定するため輸送時に位置ずれすることがなくなる。さらに、１つの果実包装容器３が容器本体１３内に収容されるため果実包装容器３同士の接触がなく、イチゴを半ば宙に浮かせたような状態で輸送することができる。これらの結果、果実輸送箱１２は、イチゴが輸送中の振動や接触によって痛むことを適切に防止でき、軽量で作業性・緩衝性・保冷性に優れたイチゴの輸送容器となる。
【００４５】
なお、上述した実施の形態では、果実輸送箱１に収容される果実としてイチゴを用いて説明したが、果実はイチゴに限定されるものではなく、モモ、梨、リンゴ、メロン、ブドウ、ビワなどその他のデリケートな農産品に対しても適用できることは言うまでもない。
【符号の説明】
【００４６】
１，１０，１２  果実輸送箱
２，１１，１３  容器本体
２ａ，１１ａ，１３ａ  開口面
２ｂ  第一区画
２ｃ  第二区画
２ｄ  短側面
２ｅ  隔壁部
２ｆ  押圧部
２ｇ  仕切壁
２ｈ，１１ｈ，１３ｈ  ガイド溝
２ｉ，１１ｉ，１３ｉ  ガイド突起
２ｊ  凹溝
２ｋ  矢印
２ｌ  取っ手部
３  果実包装容器
３ａ  張出部
４  蓄冷剤
５  バンド
１１ｂ  凸部
１１ｃ  長側面
１１ｄ  上面
１１ｅ  下面
１１ｆ  凸条
１３ｂ  載置台
【図１】
0006559608.tif 000002
【図２】
0006559608.tif 000003
【図３】
0006559608.tif 000004
【図４】
0006559608.tif 000005
【図５】
0006559608.tif 000006
【図６】
0006559608.tif 000007
【図７】
0006559608.tif 000008
【図８】
0006559608.tif 000009
【図９】
0006559608.tif 000010
【図１０】
0006559608.tif 000011
【図１１】
0006559608.tif 000012
【図１２】
0006559608.tif 000013